(57)【要約】【課題】投射型プロジェクションテレビ等に用いられる透過型スクリーンを構成しているレンチキュラーレンズシートに関する。詳しくは、シンチレーションが発生せず、高輝度、高解像度、高品位な映像を得ることの可能な透過型スクリーンに用いられるレンチキュラーレンズシートに関する。【解決手段】  少なくとも１つ以上の拡散層を各々が有するフレネルレンズシートとレンチキュラーシートからなる背面投射型スクリーンの、３層構成からなるレンチキュラーレンズシートであって、フレネルレンズシート総厚みｘ、レンチキュラーレンズシート総厚みｙが０．５＜ｘ＜３ｍｍ、０．５＜ｙ＜３ｍｍのとき、フレネルレンズシートの光源側の拡散層端面からレンチキュラーレンズシートの観察者側の主拡散層端面までの距離ｚが０．７＜ｚ＜５．５ｍｍであることを特徴とするレンチキュラーレンズシートである。【選択図】図１
2007240712.tif 000002
【特許請求の範囲】
【請求項１】
少なくとも１つ以上の拡散層を各々が有するフレネルレンズシートとレンチキュラーシートからなる背面投射型スクリーンの、３層構成からなるレンチキュラーレンズシートであって、フレネルレンズシート総厚みｘ、レンチキュラーレンズシート総厚みｙが０．５＜ｘ＜３ｍｍ、０．５＜ｙ＜３ｍｍのとき、フレネルレンズシートの光源側の拡散層端面からレンチキュラーレンズシートの観察者側の主拡散層端面までの距離ｚが０．７＜ｚ＜５．５ｍｍであることを特徴とするレンチキュラーレンズシート。
【請求項２】
前記レンチキュラーレンズシートの少なくとも１層はアクリル樹脂、アクリルスチレン共重合体樹脂、ポリカーボネート樹脂の何れかの単体、もしくは混合主成分とする樹脂であり、前記単体、もしくは混合主成分とする樹脂に有機、無機の何れかの単体、もしくは混合した拡散剤を混入して多層押し出し成形により形成されたものであることを特徴とする請求項１に記載のレンチキュラーレンズシート。
【請求項３】
前記拡散剤の形状が球形、無定形の何れかの単体、もしくは混合されたものであることを特徴とした請求項１または２に記載のレンチキュラーレンズシート。
【請求項４】
前記レンチキュラーレンズシートの主拡散層が観察者側方向に形成されていることを特徴とした請求項１乃至３のいずれか１項に記載のレンチキュラーレンズシート。
【請求項５】
前記レンチキュラーレンズシートの３層の厚みをそれぞれ光源側からａ、ｂ、ｃとし、それぞれのＨｚ値（ヘイズ値）をＨｚ−ａ、Ｈｚ−ｂ、Ｈｚ−ｃとしたときｂは０．１＜ｂ＜１．２ｍｍであり、ｃは５０μｍ＜ｃ＜１ｍｍであり、Ｈｚ−ａはＨｚ−ａ：Ｈｚ−ｂ＝２：３以下であることを特徴とした請求項１乃至４のいずれか１項に記載のレンチキュラーレンズシート。
【請求項６】
前記主拡散層は光源側の表面粗さＲｚが０〜０．１μｍで、観察者側の表面がエンボス加工、または、塗工加工あるいは転写加工によりマット処理が施されていることを特徴とした請求項１乃至５のいずれか１項に記載のレンチキュラーレンズシート。
【発明の詳細な説明】
【技術分野】
【０００１】
本発明は、投射型プロジェクションテレビ等に用いられる透過型スクリーンを構成しているレンチキュラーレンズシートに関する。詳しくは、シンチレーションが発生せず、高輝度、高解像度、高品位な映像を得ることの可能な透過型スクリーンに用いられるレンチキュラーレンズシートに関する。
【背景技術】
【０００２】
従来、リアプロジェクションテレビにおいては、主に明るさ、視野角の広さといったものが要求されていた。
【０００３】
そして、リアプロジェクションテレビに用いられる透過型スクリーンとしては、視野角が広く、コントラストも高く、モワレもなく、ギラツキも少なく、迷光もないといった、光学的特性が要求されている。
【０００４】
前記視野角が広いと観察者にとって映像可視領域が広くなる。また、コントラストが高いと映像の視認性が高くなる。さらに、ギラツキが少ないと観察者の眼の疲労が少なくなる。そして、モワレ、あるいは迷光がないと映像品質が向上する。
【０００５】
また、視野角を拡げる方法のひとつとして、シリンドリカルレンズが並設されたレンチキュラーレンズシートを用い、映像光を水平方向、または垂直方向に拡げる方法がある。
【０００６】
さらに、光拡散材等を、透過型スクリーンを構成するいずれかの部材に混入することにより、映像光を等方的に拡げる方法も行なわれている。
【０００７】
また、コントラストの向上には、例えば、レンチキュラーレンズシートに遮光層を設けることにより、映像光の選択性を上げたり、可視光を吸収する層、または部位を設けることで外光反射を抑制するなどの方法が行われている。このときスクリーンとしての光透過率の低減をできるだけ抑える方法をとることが重要となっている。
【０００８】
また、モワレは、投射画素ピッチ、フレネルレンズピッチ、レンチキュラーレンズピッチのそれぞれの組み合わせから生じる干渉縞である。そのため、それぞれの最適なピッチを設定することで解消、あるいは低減することが可能である。
【０００９】
さらに、ギラツキは、光拡散剤の厚みを厚くするか、またはスクリーンゲインを低くする。
【００１０】
また光拡散層内における光拡散剤の濃度勾配や２つ以上設けられた光拡散層間の濃度差等により低減されることは公知である。しかし、このような手法では解像力が低下する。
【００１１】
また、スクリーンゲインを低下させるとプロジェクションテレビそのものの明るさが低下する。そして、顕著な弊害が発生するという問題点を有している。
【００１２】
さらに、映像画像の高精細化を達成するには解像度の低下を招かないように光拡散層はなるべく薄くし、若干の解像度の低下はあるが２つ以上設けられた拡散層間の距離が開いているほどよい。
【００１３】
また、迷光は、スクリーンを構成する部材の各界面での反射光、特にフレネルレンズ面
での反射光に起因する映像光のノイズが存在し、画像が二重に見えるといった弊害を起こす。そして、このノイズを低減させるには入射光側の正反射を低減することが好ましい。
【００１４】
また、このような透過型スクリーンに使用される光拡散板としては、例えば光拡散剤が混入された光拡散層と、この光拡散層が接着された透明基板とを備えたものが一般的に用いられている。
【００１５】
このような光拡散板の製造方法の一例として、光拡散剤が混入された樹脂を含んだ溶剤を透明基板に塗布して乾燥させることにより、光拡散層を透明基板に接着させる、拡散フイルム（例えば、特許文献１参照。）が知られている。
【００１６】
また、光拡散フィルムを接着剤で透明基板に接着したり、光拡散剤が混入された樹脂を共押出成形することにより、光拡散板を得る方法等も知られている。
【００１７】
以下に先行技術文献を示す。
【特許文献１】特開２００４−７７７８１号公報
【発明の開示】
【発明が解決しようとする課題】
【００１８】
しかしながら、前者の方法は、溶剤を透明基板に塗布する工程に困難を要して、光拡散板の製造コストが上昇するという問題がある。また、後者の方法は、製造工程は前者と比較し容易であるが、薄膜での拡散層の作成が難しいという問題点があった。
【００１９】
本発明は、このような従来技術の問題点を解消しようとするものであり、シンチレーションが発生せず、高輝度、高解像度、高品位な映像を得ることが出来る透過型スクリーンに用いられるレンチキュラーレンズシートを提供することを目的とする。
【課題を解決するための手段】
【００２０】
本発明は、上記の課題を解決するために成されたものであり、本発明の請求項１に係る発明は、少なくとも１つ以上の拡散層を各々が有するフレネルレンズシートとレンチキュラーシートからなる背面投射型スクリーンの、３層構成からなるレンチキュラーレンズシートであって、フレネルレンズシート総厚みｘ、レンチキュラーレンズシート総厚みｙが０．５＜ｘ＜３ｍｍ、０．５＜ｙ＜３ｍｍのとき、フレネルレンズシートの光源側の拡散層端面からレンチキュラーレンズシートの観察者側の主拡散層端面までの距離ｚが０．７＜ｚ＜５．５ｍｍであることを特徴とするレンチキュラーレンズシートである。
【００２１】
本発明の請求項２に係る発明は、前記レンチキュラーレンズシートの少なくとも１層はアクリル樹脂、アクリルスチレン共重合体樹脂、ポリカーボネート樹脂の何れかの単体、もしくは混合主成分とする樹脂であり、前記単体、もしくは混合主成分とする樹脂に有機系、無機系の何れかの単体、もしくは混合した拡散剤を混入して多層押し出し成形により形成されたものであることを特徴とする請求項１に記載のレンチキュラーレンズシートである。
【００２２】
本発明の請求項３に係る発明は、前記拡散剤の形状が球状、不定状の何れかの単体、もしくは混合されたものであることを特徴とした請求項１または２に記載のレンチキュラーレンズシートである。
【００２３】
本発明の請求項４に係る発明は、前記レンチキュラーレンズシートの主拡散層が観察者側方向に形成されていることを特徴とした請求項１乃至３のいずれか１項に記載のレンチキュラーレンズシートである。
【００２４】
本発明の請求項５に係る発明は、前記レンチキュラーレンズシートの３層の厚みをそれぞれ光源側からａ、ｂ、ｃとし、それぞれのＨｚ値（ヘイズ値）をＨｚ−ａ、Ｈｚ−ｂ、Ｈｚ−ｃとしたときｂは０．１＜ｂ＜１．２ｍｍであり、ｃは５０μｍ＜ｃ＜１ｍｍであり、Ｈｚ−ａはＨｚ−ａ：Ｈｚ−ｂ＝２：３以下であることを特徴とした請求項１乃至４のいずれか１項に記載のレンチキュラーレンズシートである。
【００２５】
本発明の請求項６に係る発明は、前記主拡散層は光源側の表面粗さＲｚが０〜０．１μｍで、観察者側の表面がエンボス加工、または、塗工加工あるいは転写加工によりマット処理が施されていることを特徴とした請求項１乃至５のいずれか１項に記載のレンチキュラーレンズシートである。
【発明の効果】
【００２６】
本発明に係るのレンチキュラーレンズシートは解像度低下を最低限に抑制することができる。そして、シンチレーションが発生せず、高輝度、高解像度、高品位な映像を得ることができる。
【発明を実施するための最良の形態】
【００２７】
以下、本発明の好ましい実施形態について図面を参照に説明する。  図１は、本発明のレンチキュラーレンズシートが用いられる透過型スクリーンの構成の一実施例の概略断面を示す断面概略図である。
【００２８】
図１に示すように本発明のレンチキュラーレンズシートが用いられる透過型スクリーンは、同心円状の鋸刃形状のレンズ１１を設けたフレネルレンズシート２０とシリンドリカルレンズ３１が並設されたレンチキュラーレンズシート３０とから構成なっている。
【００２９】
前記フレネルレンズシート２０の基材部は光拡散板５５として透明層５４と光拡散層５１から形成されている。そして、レンチキュラーレンズシート３０の基材部３５は透明あるいは微拡散層３２と主光拡散層３３と透明層３４から成っている。
【００３０】
また、光源側端面から観察側端面までの距離を離すことでシンチレーションを低減させる。そして、主拡散層３３を可能な限り薄層にすることで、解像度の低下も最低限に抑制される。
【００３１】
前記光拡散板５５の透明基板５４材料としては、例えば、アクリル系樹脂、アクリロニトリル系樹脂、ポリカーボネート系樹脂、シクロオレフィン系樹脂、ポリエステル系樹脂、スチレン系樹脂、アクリル系／スチレン系共重合樹脂等の熱可塑性樹脂を使用することができる。そして、光透過性が高く、耐衝撃性を有する樹脂が望ましい。
【００３２】
前記主光拡散層３３と微拡散層３２の光散乱特性は、好ましくは微拡散層がヘイズ値（Ｈｚ値）で０〜３０％、主拡散層が５０〜９０％程度である。そして、微拡散層の光学特性への影響がこれより大きくなると、拡散層同士の距離を離す効果が無くなり、シンチレーション低減効果が薄れる。
【００３３】
また、前記拡散板３５の光源側面は表面粗さＲｚで０〜０．１μｍとし、粘着剤等でレンチキュラーレンズを貼合する際の浮き等の発生を抑制し、観察側面は、前記光源側面と同じか、あるいは押し出し成形時のエンボス等で外光反射抑制を目的とするマット処理が施しても良い。
【００３４】
また、光拡散層３３には拡散特性、拡散透過率を調整するために光拡散剤を添加するこ
ともできる。光拡散層３３中に光拡散剤を任意の量添加することにより、光拡散層３３自体のヘイズのコントロールが可能となる。
【００３５】
光拡散剤としては、従来から使用されている公知のものを使用することができる。そして、特に限定するものではない。
【００３６】
例えば、スチレン系樹脂、アクリル系樹脂、シリコーン系樹脂、尿素樹脂、ホルムアルデヒド縮合物などからなる有機系粒子やガラスビーズ、シリカ、アルミナ、炭酸カルシウムなどからなる無機系微粒子を用いることができる。
【００３７】
また、これら拡散剤の形状は球状のものでも不定形状のものでもよく、あるいは球状と不定形状を併用してもよい。これら微粒子としては平均粒径が１〜５０μｍ程度、好ましくは５〜２０μｍ程度である。
【００３８】
そして、平均粒径が１μｍ未満の場合、散乱成分が大きくなり、透過光強度が小さくなる。このため、コントラストが低下する。また、反対に５０μｍを超える場合、光散乱特性のムラが大きくなる。
【産業上の利用可能性】
【００３９】
本発明のレンチキュラーレンズシートはプロジェクションテレビに用いる背面投射型スクリーン当にしようできるレンチキュラーレンズシートとして優れていることはもとより、建築分野や農業分野等にも利用できる素晴らしい発明である。
【図面の簡単な説明】
【００４０】
【図１】本発明のレンチキュラーレンズシートが用いられる透過型スクリーンの構成の一実施例の概略断面を示す断面概略図である。
【符号の説明】
【００４１】
１０・・・透過型スクリーン
２０・・・フレネルレンズシート
２１・・・フレネルレンズ
３０・・・レンチキュラーレンズシート
３１・・・レンチキュラーレンズアレイ
３２・・・透明ｏｒ微拡散樹脂層
３３・・・主拡散層
３４・・・透明層
３５・・・レンチキュラーレンズシート基材部
５１・・・フレネル側光拡散層
５４・・・透明樹脂層
５５・・・フレネルレンズシート基材部
【図１】
2007240712.tif 000003